(57)【要約】【課題】座席を形成する座席ハンモックを乳母車車体に簡単に取り付けることができ、さらに簡単に取り外すことができる乳母車を提供する。【解決手段】乳母車は、車体１０と、座席ハンモック３０とを備える。車体１０は、前後方向に延び座席ハンモック３０の座面部３１を支持する１対の座面支持棒１５と、上下方向に延び座席ハンモック３０の背もたれ面部３２を支持する１対の背もたれ面支持棒１６とを備える。座席ハンモック３０は、その座面部３１の前方端部に、１対の座面支持棒１５の前方端部を離脱可能に受入れる前方受入れ部３５を有し、その背もたれ面部３２の上方端部に、１対の背もたれ面支持棒１６の上方端部を離脱可能に受入れる後方受入れ部３６を有している。【選択図】図４
2009012580.tif 000002
【特許請求の範囲】
【請求項１】
車輪を有する車体と、座面部および背もたれ面部を含み前記車体上に取り外し可能に装着されて座席を形成する座席ハンモックとを備えた乳母車であって、
前記車体は、前後方向に延び前記座席ハンモックの座面部を支持する１対の座面支持棒と、上下方向に延び前記座席ハンモックの背もたれ面部を支持する１対の背もたれ面支持棒とを備え、
前記座席ハンモックは、その座面部の前方端部に、前記１対の座面支持棒の前方端部を離脱可能に受け入れる前方受入れ部を有し、その背もたれ面部の上方端部に、前記１対の背もたれ面支持棒の上方端部を離脱可能に受け入れる後方受入れ部を有することを特徴とする、乳母車。
【請求項２】
前記前方受入れ部は、前端が閉鎖した袋状形態を有している、請求項１に記載の乳母車。
【請求項３】
前記後方受入れ部は、上端が閉鎖した袋状形態を有している、請求項１または２に記載の乳母車。
【請求項４】
前記座席ハンモックは、座面部と背もたれ面部との境界部分を前記車体に取り外し可能に連結するための連結手段を有している、請求項１〜３のいずれかに記載の乳母車。
【請求項５】
前記座席ハンモックは、前記座面部の前端から下方に垂れ下がる垂れ布を有している、請求項１〜４のいずれかに記載の乳母車。
【請求項６】
座面部と背もたれ面部とを含み、乳母車の車体に取り外し可能に装着されて座席を形成する座席ハンモックであって、
前記座面部の前方端部に形成され、車体の座面支持棒を離脱可能に受け入れるための前方受入れ部と、
前記背もたれ面部の上方端部に形成され、車体の背もたれ面支持棒を離脱可能に受け入れるための後方受入れ部とを備える、乳母車の座席ハンモック。
【発明の詳細な説明】
【技術分野】
【０００１】
この発明は、乳母車に関し、特に座席を形成する座席ハンモックを車体上に取り外し可能に装着した乳母車に関するものである。
【背景技術】
【０００２】
本願発明と同一の出願人は、特公平７−１２８２４号公報に、軽量タイプの乳母車を開示した。この公報に開示された乳母車は、構造がシンプルであり、軽量化の実現に大きく寄与している。また、乳母車は、折り畳み動作時に後輪が前輪に向かって移動し、折り畳み状態にあっては後輪と前輪とがほぼ同じ高さに位置して当該乳母車の自立を可能にしている。
【特許文献１】特公平７−１２８２４号公報
【発明の開示】
【発明が解決しようとする課題】
【０００３】
乳母車車体には、座席を形成する布製の座席ハンモックが固定して取り付けられている。従来、この座席ハンモックは、ベルトやビスなどを用いて、乳母車車体に取り外し不能に装着されている。そのため、例えば座席ハンモックが汚れたときには、座席ハンモックを車体に取り付けた状態のままで汚れをふき取るなどの作業が必要になる。
【０００４】
座席ハンモックを車体から取り外して洗濯することができれば、座席ハンモックを常に清潔な状態で使用することができる。また、乳母車の製造上の観点から見ても、座席ハンモックを簡単に乳母車車体に取り付けることができるようにすれば、製造効率を高めることができる。
【０００５】
この発明の目的は、座席を形成する座席ハンモックを乳母車車体に簡単に取り付けることができ、さらに簡単に取り外すことができる乳母車を提供することである。
【０００６】
この発明の他の目的は、乳母車車体への着脱が容易な座席ハンモックを提供することである。
【課題を解決するための手段】
【０００７】
この発明に従った乳母車は、車輪を有する車体と、座面部および背もたれ面部を含み車体上に取り外し可能に装着されて座席を形成する座席ハンモックとを備える。車体は、前後方向に延び座席ハンモックの座面部を支持する１対の座面支持棒と、上下方向に延び座席ハンモックの背もたれ面部を支持する１対の背もたれ面支持棒とを備える。座席ハンモックは、その座面部の前方端部に、１対の座面支持棒の前方端部を離脱可能に受け入れる前方受入れ部を有し、さらに、その背もたれ面部の上方端部に、１対の背もたれ面支持棒の上方端部を離脱可能に受け入れる後方受入れ部を有する。
【０００８】
上記構成の本発明によれば、座面支持棒の前方端部を座席ハンモックの前方受入れ部に入れ、背もたれ面支持棒の上方端部を座席ハンモックの後方受入れ部に入れるだけで、座席ハンモックを乳母車車体に取り付けることができる。さらに、座面支持棒の前方端部を座席ハンモックの前方受入れ部から抜き、背もたれ面支持棒の上方端部を座席ハンモックの後方受入れ部から抜くだけで、座席ハンモックを乳母車車体から取り外すことができる。
【０００９】
好ましい実施形態では、前方受入れ部は、前端が閉鎖した袋状形態を有している。さらに、後方受入れ部は、上端が閉鎖した袋状形態を有している。
【００１０】
好ましくは、座席ハンモックは、座面部と背もたれ面部との境界部分を前記車体に取り外し可能に連結するための連結手段を有している。さらに好ましくは、座席ハンモックは、座面部の前端から下方に垂れ下がる垂れ布を有している。
【００１１】
この発明に従った座席ハンモックは、座面部と背もたれ面部とを含み、乳母車の車体に取り外し可能に装着されて座席を形成するものである。座席ハンモックは、座面部の前方端部に形成され、車体の座面支持棒を離脱可能に受け入れるための前方受入れ部と、背もたれ面部の上方端部に形成され、車体の背もたれ面支持棒を離脱可能に受け入れるための後方受入れ部とを備える。
【発明を実施するための最良の形態】
【００１２】
乳母車は、車輪を有する車体と、座面部および背もたれ面部を含み、車体上に取り外し可能に装着されて座席を形成する座席ハンモックとを備える。図１および図２に示す乳母車車体１０は、折り畳み動作時に後輪１３が前輪１１に向かって移動し、折畳み状態にあっては後輪１３と前輪１１とがほぼ同じ高さに位置して当該乳母車車体１０の自立を可能にする。
【００１３】
乳母車１０は、基本的な構成として、上下方向に延びその下方部に前輪１１を有する１対の前脚１２と、上下方向に延びその下方部に後輪１３を有し、かつ前脚１２に交差するように配置されその交差部分においてピンを介して前脚１２に回動可能に連結される１対の後脚１４と、前後方向に延びその前方部が後脚１４の上方部に回動可能に連結される１対の座面支持棒１５と、上下方向に延びその下方部が座面支持棒１５の後方部に回動可能に連結される１対の背もたれ面支持棒１６と、背もたれ面支持棒１６に交差して上下方向に延びその下方端部が前脚１２の上方端部に回動軸を介して回動可能に連結され、かつ背もたれ面支持棒１６にそれらが交差する部分において回動可能に連結される１対の押棒１７と、各前脚１２、各後脚１４、各座面支持棒１５、各背もたれ面支持棒１６および各押棒１７でそれぞれ構成された当該乳母車の左右の各側面の間を連結する幅方向連結手段１８，１９と、前脚１２に対する押棒１７の回動を禁止することによって乳母車車体１０の開状態および閉状態（折り畳み状態）を固定するための開閉状態ロック手段２０とを備える。
【００１４】
幅方向連結手段１８，１９は、乳母車の折り畳み状態において乳母車車体の両側面の間隔を近づけるように構成されている。
【００１５】
図１および図２では、座席を形成する座席ハンモックの図示を省略したが、この発明の実施形態の特徴は、座席ハンモック３０（図３および図４参照）を乳母車車体１０に対して簡単に着脱できるようにした点にある。
【００１６】
図３および図４に示すように、例えば布製の座席ハンモック３０は、座面部３１と、この座面部３１の後端縁から上方に立ち上がって延びる背もたれ面部３２と、座席の両側面の壁を形成する左右の側面部３３と、座面部３１の前端縁から下方に垂れ下がっている垂れ布３４とを備える。図４では、垂れ布３４の図示を省略している。
【００１７】
図４から明らかなように、座席ハンモック３０の座面部３１は、その前方端部裏面に、１対の座面支持棒１５の前方端部を離脱可能に受入れる前方受入れ部３５を有している。また、座席ハンモック３０の背もたれ面部３２は、その上方端部裏面に、１対の背もたれ面支持棒１６の上方端部を離脱可能に受入れる後方受入れ部３６を有している。
【００１８】
前方受入れ部３５および後方受入れ部３６は、それぞれ、座面支持棒１５の前方端部および背もたれ面支持棒１６の上方端部を離脱可能に受入れることができるのであれば、どのような形態のものであっても良い。図示した実施形態では、より簡単な構造として、前方受入れ部３５および後方受入れ部３６は、それぞれその先端（前端または上端）が閉鎖した袋状の形態を有している。このような形態であれば、袋状形態の前方受入れ部３５および後方受入れ部３６を座面支持棒１５および背もたれ面支持棒１６の先端にはめ込むだけで座席ハンモック３０を乳母車車体１０に取り付けることができる。その逆に、前方受け入れ部３５および後方受入れ部３６をそれぞれ座面支持棒１５および背もたれ面支持棒１６の先端から抜けば、座席ハンモック３０を簡単に乳母車車体１０から取り外すことができる。
【００１９】
袋状形態の前方受入れ部３５および後方受入れ部３６であれば、座席ハンモック３０上に乳幼児を乗せれば、その重みによって前方受入れ部３５と座面支持棒１５との係合状態、および後方受入れ部３６と背もたれ面支持棒１６との係合状態が確実に維持される。
【００２０】
座席ハンモック１０の座面部３１と背もたれ面部３２との境界部分が乳母車車体１０から離れるのを防止するために、図示した実施形態の座席ハンモック３０は、この境界部分を乳母車車体１０に取り外し可能に連結するための連結手段３７を備えている。連結手段３７としては、例えば、紐や、面ファスナ等を使用できる。
【００２１】
垂れ布３４は、座席下の空間を前方から見えなくする機能と、乳幼児の足が座席下の空間内にある車体構成部材に接触するのを阻止する機能を有する。前者の機能は、例えば、座席の下に荷物置台を設置した場合に有効であり、後者の機能は、何らかの接続手段で垂れ布３４を車体１０に接続して動かないようにすることにより、より有効に働く。
【００２２】
好ましい実施形態として、座席ハンモック３０の座面部３１の前方受入れ部３５は、左右の側部に離れて１対設けられている。１対の前方受入れ部が１対の座面支持棒１５を個別に受入れるようにすれば、座面部３１の幅方向寸法が固定され、しっかりとした形状を維持できる。同様に、座席ハンモック３０の背もたれ面部３２の後方受入れ部３６は、左右の側部に離れて１対設けられている。１対の後方受入れ部が１対の背もたれ面支持棒１６を個別に受入れるようにすれば、背もたれ面部３２の幅方向寸法が固定され、しっかりとした形状を維持できる。
【００２３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２４】
この発明は、乳母車車体と座席ハンモックとを備えた乳母車に有利に利用され得る。
【図面の簡単な説明】
【００２５】
【図１】この発明の一実施形態に係る乳母車の車体を示す斜視図である。
【図２】この発明の一実施形態に係る乳母車の車体の側面図である。
【図３】この発明の一実施形態に係る乳母車の斜視図である。
【図４】この発明の一実施形態に係る乳母車の側面図である。
【符号の説明】
【００２６】
１０  乳母車車体、１１  前輪、１２  前脚、１３  後輪、１４  後脚、１５  座面支持棒、１６  背もたれ面支持棒、１７  押棒、１８，１９  幅方向連結手段、２０  開閉状態ロック手段、３０  座席ハンモック、３１  座面部、３２  背もたれ面部、３３  側面部、３４  垂れ布、３５  前方受入れ部、３６  後方受入れ部、３７  連結手段。
【図１】
2009012580.tif 000003
【図２】
2009012580.tif 000004
【図３】
2009012580.tif 000005
【図４】
2009012580.tif 000006